(57)【要約】  物理的に離れたサイン部品は、正面輪郭を有する内側が電気的に照明されたアルファベット文字部と、アルファベット文字部の正面輪郭に対して少なくとも実質的に水平に、かつアルファベット文字部の正面輪郭内に少なくとも部分的に含まれるようにして配置された少なくとも１つの連結部とを含む。１つの手法によれば、物理的に離れた部品は、２つの連結部を含む。必要であれば、これら２つの連結部は、互いに少なくとも実質的に平行に配置されている。１つの手法によれば、連結部の一方は、上述の正面輪郭の上部周縁部の上に全体的でなく部分的に延在しており、連結部の他方は、正面輪郭の下部周縁部の下に全体的でなく部分的に延在している。連結部は、近接するサイン部品に物理的かつ電気的に相互接続されるように構成された連結部接続部を含む。
2014522001.tif 000002
【特許請求の範囲】
【請求項１】
正面輪郭を有する内側が電気的に照明されたアルファベット文字部と、
前記アルファベット文字部の前記正面輪郭に対して少なくとも実質的に水平に、かつ前記アルファベット文字部の前記正面輪郭内に少なくとも部分的に含まれるようにして配置された少なくとも１つの連結部と
を有する、物理的に離れたサイン部品を含む、装置。
【請求項２】
請求項１に記載の装置であって、
前記アルファベット文字部は、
少なくとも一部、前記アルファベット文字部に一致する形状を有する光拡散器と、
前記光拡散器の背面に配置された複数の発光ダイオードと
を含む装置。
【請求項３】
請求項２に記載の装置であって、前記内側が電気的に照明されたアルファベット文字部は、フェイクネオンで内側が電気的に照明されたアルファベット文字部を含む、装置。
【請求項４】
請求項１に記載の装置であって、複数の前記物理的に離れたサイン部品を含む、装置。
【請求項５】
請求項２に記載の装置であって、前記物理的に離れたサイン部品の少なくともいくつかは、プロポーショナルフォント幅を有する正面輪郭を有する、装置。
【請求項６】
請求項１に記載の装置であって、前記物理的に離れたサイン部品は、少なくとも第１の連結部と第２の連結部とを含む、装置。
【請求項７】
請求項６に記載の装置であって、前記第１の連結部と前記第２の連結部とは、少なくとも実質的に互いに平行に配置されている、装置。
【請求項８】
請求項７に記載の装置であって、前記第１の連結部は、前記正面輪郭の上部周縁部の上に全体的でなく部分的に延在しており、前記第２の連結部は、前記正面輪郭の下部周縁部の下に全体的でなく部分的に延在している、装置。
【請求項９】
請求項６に記載の装置であって、前記第１の連結部及び前記第２の連結部は、それぞれ、架橋導体を含む、装置。
【請求項１０】
請求項９に記載の装置であって、前記架橋導体のうち一方は正の電力線を含み、前記架橋導体のうち他方は負の電力線を含む、装置。
【請求項１１】
請求項１０に記載の装置であって、前記第１および第２の連結部は、それぞれ、別の物理的に離れたサイン部品の別の連結部に物理的かつ電気的に相互接続されるように構成された連結部接続部を含む、装置。
【請求項１２】
請求項１１に記載の装置であって、前記第１の連結部の前記連結部接続部は、前記第２の連結部の前記連結部接続部の少なくとも実質的に鏡像となる形状を有し、それによって、前記第１の連結部が、前記別の物理的に離れたサイン部品の第２の連結部に接続されるのを防ぐ、装置。
【請求項１３】
請求項１１に記載の装置であって、前記連結部接続部は、導電性ブレードおよび導電性ブレード受け部のうち少なくとも１つを含む、装置。
【請求項１４】
請求項１１に記載の装置であって、前記連結部接続部は、ネジ係合部材およびネジ係合部材受け部のうち少なくとも１つを含む、装置。
【請求項１５】
請求項１１に記載の装置であって、前記連結部接続部は、少なくとも一部、段付きの接続部を含む、装置。
【請求項１６】
請求項１１に記載の装置であって、前記連結部接続部の少なくとも１つに接続されるように構成および配列された少なくとも１つのエンドキャップをさらに含む、装置。
【請求項１７】
請求項１６に記載の装置であって、前記エンドキャップは、少なくともその一部に、
電源入力インタフェースと、
電源出力インタフェースと、
電源オン／オフスイッチと、を含む装置。
【請求項１８】
請求項１７に記載の装置であって、前記電源入力インタフェース、前記電源出力インタフェースおよび前記電源オン／オフスイッチが、前記エンドキャップの側端に配置されている、装置。
【請求項１９】
請求項１７に記載の装置であって、電源入力インタフェース、電源出力インタフェースおよび電源オン／オフスイッチを含まない他のエンドキャップをさらに含む、装置。
【請求項２０】
請求項１に記載の装置であって、前記物理的に離れたサイン部品は、少なくとも実質的に平面である背面を有する、装置。
【発明の詳細な説明】
【技術分野】
【０００１】
本出願は、全内容がここに参考文献として援用される２０１１年８月８日出願の米国特許仮出願第６１／５２１，１９４号「フェイクネオン単一文字およびシステム」の優先権を主張する。本発明は、概して、電気照明サインに関する。
【０００２】
様々な種類のサイン（看板、広告、あるいはネオンサイン）が業界において周知されており、典型的に、見る者に情報を伝える役割を果たしている。たとえ、大部分が、単純な書体による英数字のみを含む比較的単純なサインであっても、一貫性のある見た目の良さのために、プロにより製作されている。当然のことながら、プロによる製作だと、サインのコストが上がってしまう。
【０００３】
多くのサインは、中から電気的に照明されている。かかる照明は、これに限られるわけではないが、ネオン光で形成された英数文字を有するサインをはじめとする様々な技術によるものである。電気的に照明されたサインは、周囲条件が暗いときは、照明されていないサインより、配置し易く、読み易く、時には、日中でも、有用である。しかしながら、かかるサインは、特注でプロが作製するか（従って、比較的高価なものとなる可能性がある）、一般的な情報のみ（「営業中」等）を提供している。
【発明の概要】
【発明が解決しようとする課題】
【０００４】
本発明は、概して、作製し易く、安価で、物理的に離れたサイン部品を含む装置を提供することを目的とする。
【課題を解決するための手段】
【０００５】
概して、様々な実施形態において、物理的に離れたサイン部品は、正面輪郭を有する内側が電気的に照明されたアルファベット文字部と、アルファベット文字部の正面輪郭に対して少なくとも実質的に水平に、かつ、アルファベット文字部の正面輪郭内に少なくとも部分的に含まれるようにして配置された少なくとも１つの連結部とを有する。１つの手法によれば、内側が電気的に照明されたアルファベット文字部は、特定のアルファベット文字に一致する形状を有する光拡散器背面に配置された、例えば、複数の発光ダイオードにより内側が照明されたフェイクネオンで内側が電気的に照明されたアルファベット文字部を含む。
【０００６】
１つの手法によれば、物理的に離れたサイン部品が、２つの連結部（第１の連結部及び第２の連結部）を含む。必要であれば、これらの２つの連結部は、互いに少なくとも実質的に平行に配置されている。１つの手法によれば、第１の連結部は、上述した正面輪郭の上部周縁部の上に全体的でなく部分的に延在しており、第２の連結部は、正面輪郭の下部周縁部の下に全体的でなく部分的に延在している。
【０００７】
連結部の１つ以上に、１つ以上の架橋導体を中に配置することができる。架橋導体は、例えば、正の電力線および／または負の電力線を含むことができる。
【０００８】
１つの手法によれば、上述の連結部の１つ以上の対向する端部は、近接する物理的に離れたサイン部品の別の連結部に物理的かつ電気的に相互接続されるように構成された連結部接続部を含む。この連結部接続部は、１つの手法によれば、物理的固定機構と電気的接続の両方を有する段付きの接続部を含むことができる。このように構成された数多くの物理的に離れたサイン部品を、互いに容易に結合させて、目的とするメッセージや言葉を作ることができる。このように、物理的に離れたサイン部品は、外観はプロ仕上がりで、意図する目的に有効かつ使用中は耐久性および可撓性のある、内側が電気的に照明されたサインを特注でつくる安価な方法を与えるものである。
【０００９】
図面と共に、以下の詳細な説明に記載された物理的に離れたサイン部品を含む装置により、上述した問題が解決される。図面の要素は単純かつ明瞭に示されており、縮尺は合っていない。商業的に実施可能な実施形態に有用または必要な一般的かつ十分理解された要素は、本発明の様々な実施形態を見やすくするために、描かれてないものもある。特定の動作および／または工程は、特定の順番で説明または図示されているが、当業者であれば、順番の特定は、実際、必要ないであろう。本明細書で用いる用語および表現は、本明細書において特に断りのない限り、当業者が使う用語および表現と一致する通常の技術的な意味を有している。
【図面の簡単な説明】
【００１０】
【図１】本発明の様々な実施形態に従って構成された斜視図である。
【図２】本発明の様々な実施形態に従って構成された正面図である。
【図３】本発明の様々な実施形態に従って構成された背面図である。
【図４】本発明の様々な実施形態に従って構成された側面図である。
【図５】本発明の様々な実施形態に従って構成された平面図である。
【図６】本発明の様々な実施形態に従って構成された概略図である。
【図７】本発明の様々な実施形態に従って構成された斜視図である。
【図８】本発明の様々な実施形態に従って構成された一部分解斜視図である。
【図９】本発明の様々な実施形態に従って構成された正面図である。
【図１０】本発明の様々な実施形態に従って構成された斜視図である。
【図１１】本発明の様々な実施形態に従って構成された斜視図である。
【図１２】本発明の様々な実施形態に従って構成された正面図である。
【発明を実施するための形態】
【００１１】
以下の詳細な説明により、本発明の利点が明らかとなる。図１〜５を参照して、物理的に離れたサイン部品１００を詳細に説明していくが、これらの説明は、何らかの限定をしようとするものではない。
【００１２】
非常に単純な一例として、図１〜５に、大文字の「Ｅ」の物理的に離れたサイン部品１００を示す。実際、本技術は、文字、数字、句読点、数多くの特別な文字等（例えば、＠、＃、＄、％、＆等）をはじめとする様々な英数字に同様に適用可能である。本実施形態は、標準英語以外の書記言語体系の英数字にも容易に適応できるものと考えられる。
【００１３】
概して、物理的に離れたサイン部品１００は、それぞれ、内側が電気的に照明されたアルファベット文字部１０１と少なくとも１つの連結部１０２とを含む。内側が電気的に照明されたアルファベット文字部１０１は、文字部１０１の正面図を完全に含む箱となっている対応の正面輪郭２０１（図２に図示）を有している。この箱は、例示の箇所を示すためのものであり、物理的に離れたサイン部品１００の全てが文字通りこのような箱を含むわけではない。
【００１４】
１つの手法によれば、内側が電気的に照明されたアルファベット文字部１０１は、一部、アルファベット文字に一致する形状因子を有する光拡散器１０３を含む。図１〜５の例において、例えば光拡散器１０３は、「Ｅ」という文字の形状を有する。この光拡散器１０３には、例えば、好適な半透明のプラスチック材料を選択したり、上面が丸まっていたりしてもよい。
【００１５】
１つの手法によれば、図６を参照すると、アルファベット文字部１０１は、上述した光拡散器１０３と並んで裏に配置された複数の光源６０１（例えば、これに限られるものではないが、発光ダイオード）を有することができる。光源６０１は、互いにできる限り近く配置するのが望ましい。例えば、約０．５インチ（１．２７ｃｍ）、１．０インチ（２．５４ｃｍ）、１．５インチ（３．８１ｃｍ）またはその他任意の距離の均一な間隔が挙げられるが、これらに限られるものではない。所望であれば、不均一な間隔であってもよい。
【００１６】
光源６０１は、白色、赤色、青色等、任意の色を実質的に放出するものを選択することができる。本実施形態にはまた、選択した複数の使用可能な色のうち１つを放出する多色光源を用いることも含まれる。光拡散器１０３自体は、所望の色とすることができる（所望により、光源６０１により放出される光の色と適合する色）。これに関する１つの単純な例としては、光源６０１は、実質的に白色の光を放出でき、光拡散器１０３は、赤みを帯びた色の材料を含むことができる。
【００１７】
本実施形態は、極めて順応性があり、照明されたアルファベット文字に関して、様々な別の手法に対応している。例えば、本実施形態は、拡散器と連結された上述の発光ダイオードの代わりに、発光材料（例えば、有機発光ダイオード（ＯＬＥＤ））の使用にも対応している。この場合は、例えば、発光材料は、拡散器として使える構造の外側表面に配置することができる。あるいは、発光材料は、拡散器の内側表面や適切な文字形状を有するその他透明カバーに配置することができる。
【００１８】
このように構成し、前述した全てを考慮に入れると、内側が電気的に照明されたアルファベット文字部１０１は、ネオン発光材料（発光表面全体に沿って色および強度が実質的に均一な拡散発光）を用いて形成された文字装飾の少なくとも多くを模倣するフェイクネオンで内側が電気的に照明されたアルファベット文字を含むことができる。
【００１９】
光源６０１は、かかるアルファベット文字部１０１のベース１１１内にあるチャネルやキャビティ内に配置される。特に、図３に示すとおり、ベース１１１は、少なくとも実質的に平面の裏面３０１を有する。このように構成された物理的に離れたサイン部品１００は、水平な壁に対して容易に配置されて、裏面３０１が水平な壁と少なくとも実質的に面一となる。ベース１１１は、例えば、好適なプラスチックをはじめとする任意の所望の材料で形成することができる。ベース１１１はまた、任意の所望の色で着色することもできる。しかしながら、多くの用途においては、ベース１１１は黒色であると役に立つ。
【００２０】
前述したとおり、物理的に離れたサイン部品１００は、それぞれまた、少なくとも１つの連結部１０２を有する。この連結部１０２は、アルファベット文字部１０１の上述した正面輪郭２０１に対して少なくとも実質的に水平に、かつアルファベット文字部１０１の正面輪郭２０１内に少なくとも部分的に配置されている。従って、前から見ると（例えば、図２に示すとおり）、連結部１０２は、アルファベット文字部１０１の後ろにあるかのように見える。この前後の関係性は、全ての実施形態において文字通り当てはまらないが、本明細書においては、厳密に言えば、これは少なくとも目の錯覚である。
【００２１】
本実施形態は、所望であれば、物理的に離れたサイン部品１００毎に、２つ以上のかかる連結部１０２に容易に対応する。図示するとおり、例えば、互いに少なくとも実質的に平行に配置された２つのかかる連結部１０２がある。特に、図示した実施形態は、上部連結部１０４と下部連結部１０５の両方を含む。本例において（特に、図２を参照すると）、上部連結部１０４は、正面輪郭２０１の上部周縁部２０２の上に、全体的にではなく部分的に延在しており、下部連結部１０５は、正面輪郭２０１の下部周縁部２０３の下に、全体的にではなく部分的に延在している。かかる構成は、上述した目の錯覚を促すのに好適である。
【００２２】
典型的なサインは、２つ以上の英数字を含むのが通常である。従って、これらの物理的に離れたサイン部品１００は、互いに組み合わせて、物理的および電気的に容易に接続される構成となっている。例えば、図示した例では、連結部１０２の各端は、別個の物理的に離れたサイン部品１００の連結部１０２を、物理的および電気的に相互接続するよう構成された連結部接続部を含む。
【００２３】
特定の例において、連結部接続部は、少なくとも一部、段付きの接続部を含む。特に、左側連結部接続部は、上部分１０６を含み、右側連結部接続部は、下部分１０７を含む。これらの部分１０６および１０７は、上部分１０６が、近接する連結部接続部の下部分１０７とぴったりと嵌合するサイズとなっている。
【００２４】
また、この特定の例において、左側連結部接続部は、対応の穴１０９内で嵌合するネジ係合部材１０８を有する。右側連結部接続部は、特に図２に示すとおり、ネジ係合受け部２０４を有する。このように構成すると、ネジ係合部材１０８（例えば、スクリューを含み得る）は、近接する物理的に離れたサイン部品１００のネジ係合部材受け部２０４と係合することによって、一方の部品１００が他方１００へ物理的に固定される。
【００２５】
１つの手法によれば、ネジ係合部材受け部２０４は、ネジ係合部材１０８の場所に対応する対応の開口部３０２（特に図３に図示）内に嵌合するサイズおよび形状のブロック２０５（特に、図４および５に図示）を含むことができる。この例において、ブロック２０５は、２つの直交側と曲面側とを含む断面を有している。かかる形状によって、一方を他方に接続するとき、２つの物理的に離れたサイン部品１００の適切な配置および並置が確保される。
【００２６】
これに関してさらに補助するために、ここに挙げるとおり、上部連結部１０４の連結部接続部を含む要素は、実質的に、下部連結部１０５の連結部接続部を含む対応の要素の鏡像となる形状を有する。かかる構成は、第１の物理的に離れたサイン部品１００の上部連結部１０４を、第２の物理的に離れたサイン部品１００の下部連結部１０５に接続しないようにするため、ある意図するサインを含む様々な部品を、互いに適切に結合させる補助となる。
【００２７】
１つの手法によれば、連結部の少なくとも１つが、１つ以上の導体を支えることによって、上述した光源６０１に電力が供給される。この例において、図６を参照すると、連結部１０２はそれぞれ、架橋導体６０２を含む。具体的には、架橋導体６０３（例えば導電性ワイヤ）は、上部連結部１０４内に配置され、正の電力線を含み、下部連結部１０５内に配置された架橋導体６０４は、負の電力線を含む。この例において、各架橋導体６０２は、入力ポート６０５と出力ポート６０６を含む。入力ポート６０５は、電力を電源６０７から受ける役割を果たし、出力ポート６０６は、電力を次の近接する部品１００へ送る役割を果たす。
【００２８】
次に、特に、図２および３を参照して、上述した入力ポート６０５は、銅や好適な銅合金といった導電性材料の露出ブレード３０３を含むことができる。対向する連結部接続部は、上述のブレード３０３を受けて、導電性ブレード受け部（アーチ１１０の内側表面に配置された１つ以上の導電性表面）へと導き、かつ、接続の固定および保護も助ける役目を果たす一対の内側向きのアーチ１１０（例えば、プラスチック製）を含む。このような構成により、近接する物理的に離れた部品１００の架橋導体６０２間に、電気的接続が、容易かつ実質的に自動的になされる。１つの手法によれば、所望であれば、この接続は、上述したネジ係合部材の使用が必要ないほど十分に固定できる。
【００２９】
１つの手法によれば、これら電気接続部品（すなわち、ブレードとブレード受け部）は、それ自体が、英数字１０１のベース１１１内に形成された対応のキャビティ（図示せず）に（略ぴったりと）嵌合する。例えば、一般的な射出成型技術を用いて、ベース１１１を形成するときに、キャビティを容易に形成することができる。この場合、さらに例を挙げると、ベース１１１の裏側にプレートを付けることができ、これは、例えば、スクリュー等を用いて適所に嵌め込まれる、またはその他固定され、電気接続部品の動きを制限することによって、部品を所望の配置および位置に使用中等保持するものである。このように構成すると、対応の部品数および構造の複雑度及びコストが軽減される。
【００３０】
上述したとおり、物理的に離れた部品１００は、実質的に任意の所望のアルファベット文字を含むことができ、上述した手法では、これについての単なる例として「Ｅ」という文字を用いている。図７に、物理的に離れた部品１００の内側が電気的に照明されたアルファベット文字部１０１が大文字の「Ａ」を有する他の例を示す。
【００３１】
１つの手法によれば、物理的に離れた部品１００の高さと幅は、文字によって同一にすることができる。ただし、他の手法によれば、物理的に離れた部品１００は、プロポーショナルフォント幅を有する正面輪郭２０１を有することができる。かかる場合、正面輪郭２０１の幅は、各文字のプロポーショナルに応じて異なり、例えば、「Ｍ」という文字の物理的に離れた部品１００は、「Ｉ」という文字の物理的に離れた部品１００より広い。
【００３２】
図８および９は、「Ｅ」という文字の第１の物理的に離れた部品サイン１００を、「Ａ」という文字の第２の物理的に離れた部品１００に接続する例である。上述したとおり、この接続は、２つの物理的に離れた部品１００の上下連結部１０４および１０５を互いに単純に並べて、各連結部接続部を互いに物理的かつ電気的に係合させることにより容易に行われる。上述したネジ係合部材１０８が、２つの物理的に離れた部品１００を互いに固定する。選択した文字によるメッセージを作成するのに、同様のやり方で、物理的に離れた部品１００をさらに含めることができる。
【００３３】
本実施形態は、必要であれば、１つ以上のエンドキャップの使用にも対応する。図１０に、上下連結部１０４および１０５の右側に接続するよう構成および配置される末端エンドキャップ１０００の例を示す。この末端エンドキャップ１０００は、上述したとおり、末端エンドキャップ１０００を、物理的に離れた部品１００に接続するのを容易にする連結部接続部１００１および１００２を含む。しかし、この場合は、末端エンドキャップ１０００は、架橋導体を含まないため、連結部接続部１００１および１００２に導体を含める必要がない。
【００３４】
本例において、末端エンドキャップ１０００は、穴１００５のある対応のフランジ１００４を形成する斜角の隅部１００３を有する。穴１００５に、例えば、ワイヤ、ケーブル、ロープ、紐、鎖等を通して、完成したサインを吊るすことができる。
【００３５】
図１１に、対応の物理的に離れた部品１００の左側に接続すべく同様に構成されたエンドキャップ１１０１の例を示す。末端エンドキャップ１０００同様、このエンドキャップ１１０１もまた、完成したサインを吊るすのを容易にする穴１００５のある対応のフランジ１００４を同様に形成する斜角の隅部１００３を有することができる。
【００３６】
このエンドキャップ１１０１はまた、いくつかの電気コネクタおよびスイッチを有する。特に、このエンドキャップ１１０１は、上述した回路をＤＣ電源（業界で公知のバッテリや変圧器型電源）に接続するための電力入力インタフェース１１０２と、ＤＣ電源を他のエンドキャップ１１０１の電力入力インタフェースに接続するために、適切な架橋電力線を使用するための電力出力インタフェース１１０７とを有する。このような構成により、単一電源だけで、複数の別個の部品サインを、互いに電気的につないで、多くのサインに電力を供給することができる。
【００３７】
このエンドキャップ１１０１はまた、本例においては、主電源オン／オフスイッチ１１０３ならびに２つのボタン１１０４および１１０５も有する。第１のボタン１１０４は、例えば、光源６０１の様々な輝度レベル（例えば、薄暗い〜非常に明るい）で、制御回路（図示せず）を段階的に調整する役割である。パルス幅変調により、当業者に周知の動作を促すことができる。第２のボタン１１０５は、見え方の様々な設定で、制御回路を段階的に調整する役割である。例えば、第１の設定では、光源６０１の連続照明を維持し、第２の設定では、特定のレートで光源６０１をオンオフさせて点滅させることができる。本実施形態は、これに関する様々な可能性に対応する。
【００３８】
この特定の例において、インタフェースおよびスイッチは、エンドキャップ１１０１の側端１１０６に配置されている。かかる位置だと、部品へのアクセスが簡単で、さらに、これに関して、完成した飾りのないサインを前に保持できる。側部取付けインタフェースおよびスイッチはまた、物理的に離れた部品１００の裏側に配置されるのを防いで、完成したサインが、支持壁と面一をなすのを確実にする。
【００３９】
図１２に、３つの物理的に離れた部品１００（「Ｓ」、「Ｅ」、「Ａ」の文字）と、上述した２つのエンドキャップ１０００および１１０１を含む完成した単純なサイン１２００の例を示す。かかるサイン１２００は、様々なやり方で装着または配置することができる。例えば、２つの上隅部穴１００５にワイヤ等を通してサイン１２００を吊るしたり（空間または壁に）、サイン１２００を机上等の水平面上に単に乗せる等が挙げられる。追加のサイン（図示せず）を、サイン１２００の下隅部にある穴１００５により、このサイン１２００の下に簡単に吊り下げることができる。
【００４０】
このような構成により、所望の文字による物理的に離れた部品１００を、所望の順番で、単に取り付けることによって、容易に作製することができる。上述の取付けには、１つの物理的に離れた部品１００を他の物理的に離れた部品１００に物理的に取り付けることと、電気的に接続することの両方が含まれる。エンドキャップ１０００および１１０１は、さらに構造的な支持を与えるものであり、電気的接続に有用で、美観にも役立つ。
【００４１】
連結部に対するアルファベット文字自体の相対的な位置は、特に、魅力的な外観を与えるものであり、かつ、組み立てたサイン１２００の全体の強度および弾性にも寄与する。
【００４２】
当業者であれば、本発明の思想および範囲から逸脱することなく、上述の実施形態に介して、様々な修正、変更および組み合わせを行うことができ、かかる修正、変更および組み合わせは、本発明の概念に含まれると考えられることが理解されるであろう。これについて単純な例を挙げると、物理的に離れた部品は、必要であれば、２つ以上のアルファベット文字を含むものとすることができる。例えば、物理的に離れた部品を、「ＡＮＤ／ＯＲ」や拡張子「．ＣＯＭ」で構成してよい。
【図１】
2014522001.tif 000003
【図２】
2014522001.tif 000004
【図３】
2014522001.tif 000005
【図４】
2014522001.tif 000006
【図５】
2014522001.tif 000007
【図６】
2014522001.tif 000008
【図７】
2014522001.tif 000009
【図８】
2014522001.tif 000010
【図９】
2014522001.tif 000011
【図１０】
2014522001.tif 000012
【図１１】
2014522001.tif 000013
【図１２】
2014522001.tif 000014
【国際調査報告】
2014522001.tif 000015
2014522001.tif 000016